(57)【特許請求の範囲】
【請求項１】
縦方向及びそれに直交する横方向と、着用状態における上下方向及びそれに直交する前後方向とを有し、前記横方向の寸法を２等分する縦中心線と、
肌対向面及びその反対側の非肌対向面と、前ウエスト域と、後ウエスト域と、前記前後ウエスト域の間に位置するクロッチ域を有するシャーシと、前記シャーシに取り付けられた吸液構造体と、前記前後ウエスト域の両側縁部を連結するサイドシームと、ウエスト開口及び一対のレッグ開口とを含むパンツ型の着用物品において、
前記縦中心線と平行に延び、かつ、前記サイドシームの前記ウエスト開口の縁部に位置する頂点を通過する仮想線をさらに有し、
前記サイドシームは、前記頂点から後方へ下り勾配に延びる第１部分と、前記第１部分から屈曲して前方へ下り勾配に延びて前記仮想線と交差する第２部分とを有し、
前記前ウエスト域は、前記横方向へ延びる複数条の前ウエスト弾性体が配置された前ウエスト弾性域を有し、前記後ウエスト域は、前記横方向へ延びる複数条の後ウエスト弾性体が配置された後ウエスト弾性域を有し、前記サイドシームの屈曲した部分において、前記前後方向において対向する前記後ウエスト弾性域の伸長応力が前記前ウエスト弾性域の伸長応力よりも高く、
サイドシームの前記第２部分の下方部において、互いに隣り合う前記前ウエスト弾性体の前記縦方向における離間寸法が、互いに隣り合う前記後ウエスト弾性体の前記縦方向における離間寸法よりも小さいことを特徴とする前記着用物品。
【請求項２】
前記サイドシームの屈曲した部分は、前記後ウエスト域の前記縦方向の寸法における中央部よりも上方に位置する請求項１に記載の着用物品。
【請求項３】
前記後ウエスト弾性体は、前記肌対向面側に位置する内面シートと、前記非肌対向面側に位置する外面シートとの間に介在されており、前記外面シートは、前記内面シートの後端縁に沿って前記縦方向の内側へ折り曲げられる折曲部分を有し、前記折曲部分の端縁が前記サイドシームの屈曲した部分に位置する請求項１又は２に記載の着用物品。
【請求項４】
前記前後ウエスト域の外面には、複数の圧縮凹部が配列され、かつ、互いに交差する第１凹状ラインと第２凹状ラインとから構成された格子縞状のエンボス模様が配置される請求項１〜３のいずれかに記載の着用物品。
【請求項５】
互いに隣り合う前記後ウエスト弾性体の前記縦方向の離間寸法が１１ｍｍ以下である請求項１〜４のいずれかに記載の着用物品。
【発明の詳細な説明】
【技術分野】
【０００１】
本発明は、パンツ型の着用物品に関する。
【背景技術】
【０００２】
従来、前ウエスト域の両側縁部と後ウエスト域の両側縁部とを互いに連結するサイドシームを有するパンツ型の着用物品は公知である。例えば、特許文献１には、サイドシームが上下方向に直線状に延びるパンツ型の着用物品が開示されている。
【先行技術文献】
【特許文献】
【０００３】
【特許文献１】特開２００９−１３１５３９号公報（Ｐ２００９−１３１５３９Ａ）
【発明の概要】
【発明が解決しようとする課題】
【０００４】
特許文献１に開示された着用物品においては、サイドシームが上下方向に一直線状に且つ所定の間隔を空けて列になって配置された複数の溶着部から形成されており、溶着部が比較的に狭い幅寸法を有することから、サイドシームを上下方向の一端から他端へ引き剥がすときに、引き剥がす力を溶着部に集中させて容易に引き剥がすことができる。
【０００５】
しかし、サイドシームが上下方向へ直線状に延びた形状を有するものであるから、例えば、着用状態において、着用物品に別体の吸収パッドを配置するために、着用補助者が前ウエスト域を把持して斜め下方に引き下げて、ウエスト開口を拡げる場合において、サイドシーム全体にそれを斜め前方へ引き下げようとする力が作用するので、後ウエスト域が全体的に下方へずり下げられる。したがって、そのまま着用した場合には、着用感を損ねるだけではなく、排泄物の漏れの原因となるおそれがある。また、後ウエスト域の位置を修正する場合には、吸収パッドを配置した後に、後ウエスト域を適正な位置に引き上げながら、吸収パッドが位置ずれしないように調整する必要があるので、手間がかかる。
【０００６】
本発明の目的は、従来の技術の改良であって、着用状態において、前ウエスト域を引き下げたときでも、後ウエスト域が位置ずれを生じるおそれのないパンツ型の着用物品の提供にある。
【課題を解決するための手段】
【０００７】
上記課題を達成するための本発明は、縦方向及びそれに直交する横方向と、着用状態における上下方向及びそれに直交する前後方向とを有し、前記横方向の寸法を２等分する縦中心線と、肌対向面及びその反対側の非肌対向面と、前ウエスト域と、後ウエスト域と、前記前後ウエスト域の間に位置するクロッチ域を有するシャーシと、前記シャーシに取り付けられた吸液構造体と、前記前後ウエスト域の両側縁部を連結するサイドシームと、ウエスト開口及び一対のレッグ開口とを含むパンツ型の着用物品に改良にある。
【０００８】
本発明に係る着用物品は、前記縦中心線と平行に延び、かつ、前記サイドシームの前記ウエスト開口の縁部に位置する頂点を通過する仮想線をさらに有し、前記サイドシームは、前記頂点から後方へ下り勾配に延びる第１部分と、前記第１部分から屈曲して前方へ下り勾配に延びて前記仮想線と交差する第２部分とを有し、前記前ウエスト域は、前記横方向へ延びる複数条の前ウエスト弾性体が配置された前ウエスト弾性域を有し、前記後ウエスト域は、前記横方向へ延びる複数条の後ウエスト弾性体が配置された後ウエスト弾性域を有し、前記サイドシームの屈曲した部分において、前記前後方向において対向する前記後ウエスト弾性域の伸長応力が前記前ウエスト弾性域の伸長応力よりも高く、サイドシームの前記第２部分の下方部において、互いに隣り合う前記前ウエスト弾性体の前記縦方向における離間寸法が、互いに隣り合う前記後ウエスト弾性体の前記縦方向における離間寸法よりも小さいことを特徴とする。
【発明の効果】
【００１０】
本発明に係るパンツ型の着用物品においては、サイドシームがその頂点から後方へ下り勾配に延びる第１部分と、第１部分から屈曲して前方へ下り勾配に延びる第２部分とを有することによって、前ウエスト域を斜め下方へ引っ張ってウエスト開口を拡げたときに、第１部分が斜め前方へ引っ張られて下方へずり下がるのに対し、第２部分には引っ張る力が作用されない又はされ難く、後ウエスト域全体が下方へ大きくずり下がることはない。
【図面の簡単な説明】
【００１１】
図面は、本開示に係る本発明の特定の実施の形態を示し、発明の不可欠な構成ばかりでなく、選択的及び好ましい実施の形態を含む。
【図１】本開示に係るパンツ型の着用物品の一例として示す、使い捨ておむつを背面側から視た斜視図。
【図２】各弾性体の最大伸長時（弾性体の収縮作用によるギャザーがなくなる程度）まで縦方向及び横方向に伸展したおむつの一部破断展開平面図。
【図３】おむつの一部破断分解斜視図。
【図４】図１のＩＶ−ＩＶ線に沿う模式的断面図。
【図５】前ウエスト域の平面図。
【図６】後ウエスト域の平面図。
【図７】（ａ）従来のおむつを着用する際の状態を示す、背面側から視た斜視図。（ｂ）ＶＩＩｂ−ＶＩＩｂ線に沿う模式的断面図。
【図８】（ａ）図１に示すおむつを着用する際の状態を示す、背面側から視た斜視図。（ｂ）ＶＩＩＩｂ−ＶＩＩＩｂ線に沿う模式的断面図。
【図９】（ａ）従来のおむつの着用状態における側面図。（ｂ）従来のおむつの着用状態において、前ウエスト域を斜め下方へずり下げた様子を示す図。
【図１０】おむつの着用状態における側面図。
【図１１】おむつの着用状態において、前ウエスト域を斜め下方へずり下げた様子を示す図。
【発明を実施するための形態】
【００１２】
下記の実施の形態は、本発明の一例である図１〜１１に示すパンツ型の着用物品に関し、発明の不可欠な構成ばかりではなく、選択的及び好ましい構成を含む。図２において、後述する各弾性体は、その収縮力に抗して、横方向Ｘ及び縦方向Ｙへの収縮力により各弾性体が取り付けられた部材に生じたギャザーが、自然な視覚によって実質的に無くなっているように見える程度にまで伸長された状態にある。
【００１３】
図１〜図３を参照すると、本発明に係るパンツ型の着用物品の一例である使い捨てのパンツ型おむつ１０は、互いに直交する縦方向Ｙ及び横方向Ｘと、肌対向面及びその反対側の非肌対向面と、横方向Ｘの長さ寸法を二等分する縦軸Ｐと、縦方向Ｙの長さ寸法を二等分する横軸Ｑとを有し、縦軸Ｐに関してほぼ対称であり、前ウエスト域１１と、後ウエスト域１２と、前ウエスト域１１および後ウエスト域１２の間に位置するクロッチ域１３とを含む。
【００１４】
おむつ１０は、ベース形態をなすシャーシ１４を含み、シャーシ１４は、互いに縦方向Ｙにおいて対向する前端縁（前ウエスト開口縁）１４ａと後端縁（後ウエスト開口縁）１４ｂと、クロッチ域１３を画定する中央部が凹曲状の両側縁部１４ｃ，１４ｄとを有する。両側縁部１４ｃ，１４ｄによって外形輪郭の形成されるクロッチ域１３の最も幅狭の部分は、横軸Ｑよりも前ウエスト域１１側へ位置している。前ウエスト域１１の両側縁部１１ａ，１１ｂと後ウエスト域１２の両側縁部１２ａ，１２ｂとは、おむつ１０の前後方向Ｚにおいて互いに対向する側縁部が互いに縦方向Ｙへ断続的に延びるサイドシーム２２によって連結されることによって、ウエスト開口２３及び一対のレッグ開口２４が画定される。サイドシーム２２では、例えば、熱又は超音波によるエンボス・デボス加工等の公知の手段によって互いに重なり合うシートどうしが融着される。サイドシーム２２は、おむつ１０の製造過程において、前後ウエスト域１１，１２の両側縁部１１ａ，１１ｂ，１２ａ，１２ｂ及び縦中心線Ｐと並行して直線状に形成される。しかし、おむつ１０においては、前後方向において互いに対向する、前後ウエスト域１１，１２の上下方向の中央部よりも上方に位置するウエスト弾性体が配置された弾性域どうしの収縮量の差異によって、サイドシーム２２が、後ウエスト域１２側へ屈曲した形状となる。
【００１５】
シャーシ１４は、肌対向面に位置し、前後ウエスト域１１，１２及びクロッチ域１３を一連に画定する繊維不織布製のベースシート２５と、非肌対向面側に位置し、縦方向Ｙにおいて互いに離間対向する、繊維不織布製の前ウエストシート２６及び後ウエストシート２７と、ベースシート２５の肌対向面側に位置し、クロッチ域１３から前後ウエスト域１１，１２へ延びる吸液構造体１５とを含む。
【００１６】
＜ベースシート＞
ベースシート２５は、縦方向Ｙにおいて離間対向する第１及び第２端縁２５ａ，２５ｂと、横方向Ｘにおいて離間対向する両側縁２５ｃ，２５ｄとを有する。両側縁２５ｃ，２５ｄは、前後ウエスト域１１，１２における直状部位と、クロッチ域１３において、縦軸Ｐに向かって後ウエスト域１２側から前ウエスト域１１側により深く凸曲する曲状部位とから形成される。
【００１７】
＜前ウエストシート＞
前ウエストシート２６は、前ウエスト域１１とクロッチ域１３の一部とを形成する略台形状であって、横方向Ｘへ延びる中間内端縁２６ａ及び外端縁２６ｂと、縦方向Ｙへ延びる両外側縁２６ｃ，２６ｄと、両外側縁２６ｃ，２６ｄと中間内端縁２６ａとを結ぶ両側内端縁２６ｅ，２６ｆとから画定される。両側内端縁２６ｅ，２６ｆは、外側縁２６ｃ，２６ｄから横方向Ｘへ直状に延びる直状部位と、該直状部位から中間内端縁２６ａに延びる曲状部位とを有する。前ウエストシート２６は、ウエスト開口縁に沿って内側へ折り曲げられた折曲部分３３を有する。折曲部分３３は、ベースシート２５の内面に後述する吸液構造体１５が配置された状態で、ベースシート２５の第１端縁２５ａに沿って内側へ折り曲げられ、ベースシート２５及び吸液構造体１５の肌対向面に固定される。
【００１８】
＜後ウエストシート＞
後ウエストシート２７は、後ウエスト域１２とクロッチ域１３の一部とを形成する略台形状であって、横方向Ｘへ延びる中間内端縁２７ａ及び外端縁２７ｂと、外端縁２７ｂから縦方向Ｙへ延びる両外側縁２７ｃ，２７ｄと、両外側縁２７ｃ，２７ｄと中間内端縁２７ａとを曲状に結ぶ両側内端縁２７ｅ，２７ｆとから画定される。後ウエストシート２７は、ウエスト開口縁に沿って内側へ折り曲げられた折曲部分３８を有する。折曲部分３８は、ベースシート２５の内面に吸液構造体１５が配置された状態で、ベースシート２５の第２端縁２５ｂに沿って内側へ折り曲げられ、ベースシート２５及び吸液構造体１５の肌対向面に固定される。
【００１９】
図２〜図４を参照すると、前ウエストシート２６とベースシート２５との間には、前ウエスト域１１において横方向Ｘへ延びる前ウエスト弾性体６１〜６４が伸長状態で収縮可能に取り付けられる。後ウエストシート２７とベースシート２５との間には、後ウエスト域１２において横方向Ｘへ延びる後ウエスト弾性体７１〜７４と、後ウエスト域１２からクロッチ域１３へ向かって湾曲状して延びる臀部弾性体７６とが伸長状態で収縮可能に取り付けられる。前後ウエスト域１１，１２は、各弾性体が配置されることによって、後記の弾性的に伸縮可能な前後ウエスト弾性域を有する。
【００２０】
ベースシート２５及び前後ウエストシート２６，２７としては、単位面積当たりの質量が約１０〜４０ｇ／ｍ２であり、繊維密度が約０．０３〜０．１０ｇ／ｃｍ３である、例えば、スパンボンド繊維不織布、ＳＭＳ（スパンボンド・メルトブローン・スパンボンド）繊維不織布、エアスルー繊維不織布、プラスチックシート、またはそれらのラミネートシートなどを用いることができる。本実施形態においては、ベースシート２５として、質量約１０〜１８ｇ／ｍ２、好ましくは質量約１３ｇ／ｍ２のＳＭＳ繊維不織布、前後ウエストシート２６，２７として質量約１５〜２５ｇ／ｍ２、好ましくは質量約２０ｇ／ｍ２のスパンボンド繊維不織布を用いることができる。
【００２１】
図１に示す後ウエスト域１２の外面の一部拡大図を参照すると、本実施形態においては、前後ウエストシート２６，２７の外面に、オプションとして格子状のエンボス・デボス加工が施されており、格子縞状のエンボス模様２８が配置される。エンボス模様２８は、複数の圧縮凹部が配置されて構成された、縦軸Ｐ及び横軸Ｑに対して傾斜して延びる、第１凹状ライン２９Ａと第２凹状ライン２９Ｂとが交差して形成される。圧縮凹部においては、前後ウエストシート２６，２７を形成する繊維不織布の熱可塑性樹脂が熱融着されており、第１凹状ライン２９Ａと第２凹状ライン２９Ｂとの間には、嵩高かつ柔軟な非圧縮部３０が画定される。また、前後ウエストシート２６，２７は、少なくとも外面側の繊維層が捲縮繊維を有するものであることが好ましい。かかる場合には、エンボス模様２８と相俟ってそれらシートの柔軟性が向上し、より下着のような外観を有することができる。本実施形態においては、クロッチ域１３の中央部１３ｃがベースシート２５のみから形成されているが、複数のシートから形成されていてもよい。
【００２２】
おむつ１０は、主として、高齢者等に使用される大人用のおむつであって、おむつ１０の各寸法（シャーシ１４の対応する寸法と同じ）について言えば、おむつ１０の縦方向Ｙにおける寸法Ｌ１は約６００〜１０００ｍｍ、横方向Ｘにおける寸法Ｗ１は約４００〜８００ｍｍ、前ウエスト域１１の前側縁部１１ａ，１１ｂの縦方向Ｙにおける寸法Ｌ２（後ウエスト域１２の後側縁部１２ａ，１２ｂの縦方向Ｙにおける寸法と同じ）は、約２００〜２５０ｍｍである。
【００２３】
＜吸液構造体＞
図２及び図３を参照すると、吸液構造体１５は、縦方向Ｙに離間対向して横方向Ｘに延びる前端縁１５ａ及び後端縁１５ｂと、横方向Ｘにおいて離間対向して縦方向Ｙに延びる両側縁１５ｃとを有する。吸液構造体１５は、肌対向面側に位置し、透液性を有する繊維不織布製の身体側ライナ５０と、曲状の両側縁を有する吸液性の吸液性コア５１と、一対のバリアカフシート５２と、防漏シート５３とを含む。
【００２４】
吸液性コア５１は、前ウエスト域１１において横方向Ｘへ延びる前端縁５１ａと、後ウエスト域１２において、横方向Ｘへ延びる後端縁５１ｂとを有し、例えば、フラッフパルプと、吸収性ポリマー粒子等との混合物から形成されており、その全体がティッシュペーパ等の液吸収拡散性のコアラップシートによって包被される。身体側ライナ５０とバリアカフシート５２及び防漏シート５３とは、吸液性コア５１の前端縁５１ａ及び後端縁５１ｂから、それぞれ縦方向Ｙの外側へ延出している。吸液構造体１５は、吸液性コア５１の前端縁５１ａから縦方向Ｙの外側に延出するそれらのシート部材から形成された前端部１６Ａと、吸液性コア５１の後端縁５１ｂから縦方向Ｙの外側に延出するそれらのシート部材から形成された後端部１６Ｂとを有する。
【００２５】
吸液構造体１５とベースシート２５とは、それらの対向面の少なくとも一方に塗布されたホットメルト接着剤等の公知の接合手段から形成された接合域を介して互いに接合される。接合域は、縦方向Ｙにおいて互いに所与寸法離間して配置された複数の接合部から構成されており、吸液構造体１５の前端部１６Ａの一部をベースシート２５に固定するための前方接合部５９Ａと、吸液構造体１５の後端部１６Ｂの一部をベースシート２５に固定するための後方接合部５９Ｂと、吸液構造体１５の中央部をベースシート２５に固定するための中央接合部５９Ｃとを有する。
【００２６】
図２を参照すると、一対のバリアカフシート５２は、２つに折り畳まれて内面を互いに固定したものであって、身体側ライナ５０の肌対向面に固定された、縦方向Ｙにおいて離間対向する前固定部及び後固定部と、縦方向Ｙへ延びる固定側縁部５２ｂと、固定側縁部５２ｂから横方向Ｘの内側に位置する自由側縁部５２ａとを有する。バリアカフシート５２の自由側縁部５２ａ内には、ストリング状またはストランド状の弾性材料からなり、縦方向Ｙへ延びるカフ弾性体５７が伸長状態で収縮可能に取り付けられる。カフ弾性体５７が収縮することによって、自由側縁部５２ａが身体側ライナ５０から着用者の身体側へ離間し、体液の横漏れを防止するための一対の防漏カフが形成される。防漏シート５３は、不透液性の繊維不織布、不透液性で透湿性のプラスチックフィルム又はそれらのラミネートシートから形成されており、少なくとも吸液性コア５１の下面のほぼ全体を覆うように配置されており、吸液構造体１５の非肌対向面（底面）側から体液が漏れ出るのを防止する。
【００２７】
＜前ウエスト弾性域＞
前ウエスト域１１は、前側縁部１１ａ，１１ｂ間に位置する前ウエスト弾性体６１〜６４が配置された前ウエスト弾性域６０Ａ，６０Ｂを有する。説明の便宜上、前ウエスト弾性域６０Ａ，６０Ｂは、前ウエスト開口縁１４ａから吸液構造体１５の前端縁１５ａよりもクロッチ域１３側に延び、横方向Ｘへ延びる複数条のストリング状又はストランド状の上方前ウエスト弾性体６１，６２が配設された上方弾性域６０Ａと、上方弾性域６０Ａよりもクロッチ域側に位置し、横方向Ｘへ延びる複数条のストリング状又はストランド状の下方前ウエスト弾性体６３，６４が配設された下方弾性域６０Ｂとを有する。前ウエスト域の前側縁部１１ａ，１１ｂの縦方向Ｙの寸法が約２００〜２５０ｍｍの場合において、上方弾性域６０Ａの縦方向Ｙの寸法は１００〜１２０ｍｍ、下方弾性域Ｂの縦方向Ｙの寸法は約１００〜１３０ｍｍである。
【００２８】
上方前ウエスト弾性体６１，６２は、前ウエスト開口縁１４ａ側に位置する第１前ウエスト弾性体６１と、第１前ウエスト弾性体６１のクロッチ域１３側に位置する第２ウエスト弾性体６２とを有し、下方前ウエスト弾性体６３、６４は、前ウエスト開口縁１４ａ側に位置する第３前ウエスト弾性体６３と、第３前ウエスト弾性体６３のクロッチ域１３側に位置する第４前ウエスト弾性体６４とを有する。
【００２９】
各前ウエスト弾性体６１〜６４の本数、繊度及びピッチは、おむつ１０の大きさによって適宜調整されるところ、本実施形態においては、第１前ウエスト弾性体６１が繊度約３００〜８００ｄｔｅｘ、ピッチ約４〜８ｍｍ、約２．２〜２．４倍に伸長された状態で配置された弾性材料から形成されており、第２前ウエスト弾性体６２が繊度３００〜８００ｄｔｅｘ，ピッチ６〜１２ｍｍ，約２．２〜２．４倍に伸長された状態で配置された弾性材料から形成されており、第３前ウエスト弾性体６３が繊度６００〜９５０ｄｔｅｘ，ピッチ６〜１２ｍｍ，約２．３〜２．７倍に伸長された状態で配置された弾性材料から形成されており、第４前ウエスト弾性体６４が繊度６００〜１２００ｄｔｅｘ，ピッチ６〜１２ｍｍ，約２．３〜２．７倍に伸長された状態で配置された弾性材料から形成されている。本明細書において、隣り合う前後ウエスト弾性体間のピッチ（離間寸法）とは、縦方向Ｙにおける弾性体間に形成される弾性体の非存在領域における縦方向の寸法をいう。また、「ピッチが実質的に同一である」とは、０〜３．０ｍｍ程度の製造上の誤差等による相違を含むものである。
【００３０】
＜後ウエスト弾性域＞
後ウエスト域１２は、後ウエスト開口縁１４ｂと吸液性コア５１の後端縁５１ｂとの間に位置する後ウエスト弾性体７１〜７４が配置された後ウエスト弾性域７０Ａ，７０Ｂを有する。説明の便宜上、後ウエスト弾性域７０Ａ，７０Ｂは、後ウエスト開口縁１４ｂから吸液構造体１５の後端縁１５ｂよりもクロッチ域１３側に延び、横方向Ｘへ延びる複数条のストリング状又はストランド状の上方後ウエスト弾性体７１，７２が配設された上方弾性域７０Ａと、上方弾性域７０Ａよりもクロッチ域１３側に位置し、横方向Ｘへ延びる複数条のストリング状又はストランド状の下方後ウエスト弾性体７３，７４が配設された下方弾性域７０Ｂとを有する。後ウエスト弾性域７０Ａ，７０Ｂの上方弾性域７０Ａは、後ウエスト開口縁１４ｂから吸液構造体１５の後端縁１５ｂよりもクロッチ域１３側へ延びており、下方弾性域７０Ｂは、上方弾性域７０Ａと吸液性コア５１の後端縁５１ｂとの間に位置している。後ウエスト域１２の両側縁部１２ａ，１２ｂの縦方向Ｙの寸法が約２００〜２５０ｍｍの場合において、上方弾性域７０Ａの縦方向Ｙの寸法は７０〜１００ｍｍ、下方弾性域７０Ｂの縦方向Ｙの寸法は約１３０〜１５０ｍｍである。
【００３１】
上方後ウエスト弾性体７１，７２は、後ウエスト開口縁１４ｂ側に位置する第１後ウエスト弾性体７１と、第１後ウエスト弾性体７１のクロッチ域１３側に位置する第２後ウエスト弾性体７２とを有し、下方後ウエスト弾性体７３，７４は、後ウエスト開口１４ｂ側に位置する第３後ウエスト弾性体７３と、第３後ウエスト弾性体７３のクロッチ域１３側に位置する第４後ウエスト弾性体７４とを有する。
【００３２】
後ウエスト弾性体７１〜７４の本数、繊度及びピッチは、おむつ１０の大きさによって適宜調整されるところ、本実施形態においては、第１後ウエスト弾性体７１が繊度約３００〜８００ｄｔｅｘ、ピッチ約４〜８ｍｍ、約２．２〜２．４倍に伸長された状態で配置された弾性材料から形成されており、第２後ウエスト弾性体７２が繊度６００〜９５０ｄｔｅｘ，ピッチ４〜８ｍｍ，約１．８〜２．２倍に伸長された状態で配置された弾性材料から形成されており、第３後ウエスト弾性体７３が繊度６００〜９５０ｄｔｅｘ，ピッチ４〜８ｍｍ，約２．３〜２．７倍に伸長された状態で配置された弾性材料から形成されており、第４後ウエスト弾性体７４が繊度６００〜１２００ｄｔｅｘ，ピッチ１２〜１８ｍｍ，約２．３〜２．７倍に伸長された状態で配置された弾性材料から形成されている。
【００３３】
＜伸長応力の測定方法＞
各ウエスト弾性体が配置された弾性域の伸長応力は、島津製作所製の引張試験機を用いて測定した。測定は、横方向Ｘの寸法Ｗ１が６００ｍｍのおむつ１０の前後ウエスト域１１，１２から、それぞれ各弾性域を切り取って試料とした。まず、引っ張り試験の上チャックに試料の一端を固定し、下方チャックに試料の他端を固定した状態で、それらを１８０ｍｍ（チャックの掴み部の寸法は約１５ｍｍ）離間させる。次に、下チャックを速度１００ｍｍ／ｍｉｎで動かし、チャック間が４６０ｍｍになるまで離間させて、動きを反転し、チャック間が１８０ｍｍになるまで接近させた後、再び動きを反転してチャック間が４６０ｍｍになるまで離間させた時点の伸長応力（Ｎ）を測定した。
【００３４】
上記測定の結果、前ウエスト弾性体の上方弾性域６０Ａ，６０Ｂの伸長応力が約１.１Ｎ，下方弾性域６０Ｂの伸長応力が約２．０Ｎであって、また、後ウエスト弾性域７０Ａ，７０Ｂの上方弾性域７０Ａの伸長応力が約１.３Ｎ，下方弾性域７０Ｂの伸長応力が約２．９Ｎであった。したがって、それらの弾性域の伸長応力の相関関係は、上方弾性域６０Ａ＜下方弾性域６０Ｂ、上方弾性域７０Ａ＜下方弾性域７０Ｂであった。また、第２前ウエスト弾性体６２の配置された弾性域の伸長応力が約０．９８Ｎであって、前ウエスト弾性域６０Ａ，６０Ｂのうちで最も低い伸長応力を有する弾性域であって、第４後ウエスト弾性体７４の配置された弾性域の伸長応力が約１．９８Ｎであって後ウエスト弾性域７０Ａ，７０Ｂのうちで最も高い伸長応力を有する弾性域であった。また、第１後ウエスト弾性体７１の配置された弾性域の伸長応力と第２後ウエスト弾性体７２の配置された弾性域の伸長応力とは、約１．３Ｎであって、ほぼ同じであった。また、上記の結果から、第２後ウエスト弾性体７２の配置された弾性域の伸長応力は、第２前ウエスト弾性体６２の配置された弾性域の伸長応力よりも高くなっている。
【００３５】
図２及び図６を参照すると、シャーシ１４は、後ウエスト域１２からクロッチ域１３まで延びる臀部弾性域を有する。臀部弾性域は、横軸Ｑへ向かって湾曲状に延びる複数条の臀部弾性体７６が伸長状態で収縮可能に取り付けられている。臀部弾性体７６は、繊度が約６００〜９５０ｄｔｅｘであって、伸長倍率が約１．０〜２．５倍に伸長された複数条のストリング状またはストランド状の弾性材料から形成することができる。後ウエスト域１２において、第４後ウエスト弾性体７４と臀部弾性体７６と吸液構造体１５の側縁１５ｃとの間には、シート部材のみから形成された臀部カバー部が画定される。臀部カバー部は、シート部材のみから形成されていることから柔軟性を有し、着用者の臀部を広範囲に被覆する程度の大きさを有する。
【００３６】
既述のとおり、前後ウエスト域１１，１２において、上方弾性域６０Ａ，７０Ａの伸長応力が、それぞれ、下方弾性域６０Ｂ，７０Ｂのそれよりも低くなっている。このように、ウエスト開口２３側に位置する上方弾性域６０Ａ、７０Ａの伸長応力が比較的に小さいことによって、握力の弱い高齢者であっても、着用時においてウエスト開口２３を拡げ易く、該部分の伸長応力が高い場合に比して着用操作が容易になる。一方、下方弾性域６０Ｂ，７０Ｂは、比較的に高い伸長応力を有することから、該部分において着用者の身体に安定的にフィットされ、身体に対する所要の保持力（ホールド）力を発揮しうる。このように、おむつ１０の上下方向において、低伸長応力の領域と高伸長応力の領域とを形成し、かつ、前後方向Ｚにおいて対向させることによって、着用時における操作性と身体に対するフィット性とを両立させることができる。
【００３７】
図７（ａ），（ｂ）を参照すると、従来のおむつ１１０においては、後ウエスト域１１２において、後ウエスト弾性体として同一のストリング状又はストランド状の弾性材料を使用しており、上方後ウエスト弾性体１７１，１７２のうちの第１後ウエスト弾性体１７１と第２後ウエスト弾性体１７２のピッチ寸法が相違しており、第２後ウエスト弾性体１７２のピッチが第１ウエスト弾性体１７１のそれよりも大きくなっている。かかる構成を有する比較例のおむつ１１０では、着用時において、おむつ１１０を臀部７８に引き上げる際に、吸液構造体１５の存在領域とそれよりも縦方向Ｙの外側に位置する領域とにおける剛性差及び第１後ウエスト弾性体１７１と第２後ウエスト弾性体１７２とによるピッチ差並びにそれによる伸長応力の違いによって、吸液構造体１１５の後端縁１１５ｂ近傍、すなわち、上方弾性域１７０Ａが折れ曲がって大腿部と臀部７８との段差７９に引っ掛かって、引き上げ操作をスムーズに行うことができない。特に、おむつ１１０においては、吸液構造体１１５の後端縁１１５ｂがウエスト開口の比較的に近くにあることから、該部分が引っ掛かることによって、おむつ１１０の大部分が引き上げられず、無理に引き上げようとすると、おむつ１１０の一部が破断したり、クロッチ域１１３の一部が鼠径部に食い込んだりするおそれがある。
【００３８】
図８（ａ），（ｂ）を参照すると、本実施形態に係るおむつ１０においては、第１後ウエスト弾性体７１と第２後ウエスト弾性体７２とのピッチの大きさが同一であることによって、上方弾性域７０Ａが全体的に面状に身体にフィットされ、かつ、第１及び第２後ウエスト弾性体７１，７２の配置された弾性域における伸長応力も同じであることから、吸液構造体１５の後端縁１５ｂ近傍が折れ曲がって段差７９に引っ掛かることはなく、スムーズに引き上げ操作を行うことができる。また、本実施形態においては、下方後ウエスト弾性体７３，７４のうちの第３後ウエスト弾性体７３のピッチも第１及び第２後ウエスト弾性体７１，７２のピッチと実質的に同一であることから、吸液構造体１５の後端縁１５ｂの縦方向Ｙの内側及び外側における所与寸法において、各弾性体のピッチが実質的に同一となり、より該部分における着用時の折れ曲がりを抑制しうる。
【００３９】
また、下方後ウエスト弾性体７３，７４のうちの第４後ウエスト弾性体７４の離間寸法が第１〜第３後ウエスト弾性体７１〜７３の寸法よりも大きくなっている。第４後ウエスト弾性体７４は、吸液構造体１５の後端部１６Ｂと平面視において重なる一方、剛性が変化する部分と重なるものではないので、比較的に離間寸法が大きくても、おむつ１０を引き上げるときに折れ曲がって段差に引っ掛かってしまうことはない。
【００４０】
図４を参照すると、吸液構造体１５の後端部１６Ｂは、第３後ウエスト弾性体７３の配置された弾性域において後方接合部５９Ｂを介してシャーシ１４の内面に取り付けられており、吸液性コア５１の後端縁５１ｂと後方接合部５９Ｂとの間に位置する部分は、シャーシ１４の内面に固定されていない。このように、後端部１６Ｂ全体がシャーシ１４に取り付けられていないことによって、シャーシ１４が吸液構造体１５が取り付けられることによる剛性の変化に影響され難く、着用時にウエスト開口２３を拡げ易くなる。
【００４１】
図６を参照すると、吸液性コア５１の後端縁５１ｂと第４後ウエスト弾性体７４のうちの最もクロッチ域１３側に位置する弾性体との縦方向Ｙにおける離間寸法Ｒは、隣り合う第４後ウエスト弾性体７４間の縦方向Ｙの離間寸法とほぼ等しい又はそれよりも僅かに大きくなっている。半剛性の吸液性コア５１の後端縁５１ｂ近傍も剛性が変化し易い部分であって、第４後ウエスト弾性体７４の縦方向Ｙの離間寸法と離間寸法Ｒとの差異が比較的に大きい場合には、おむつ１０の着用時に引き上げ操作するときに、該離間部分において折曲されて段差に引っ掛かるおそれがある。本実施形態においては、第４後ウエスト弾性体７４の縦方向Ｙの離間寸法と離間寸法Ｒとがほぼ等しい又はそれよりも僅かに大きいことによって、おむつ１０を引き上げるときに吸液性コア５１の後端縁５１ｂ近傍が折曲されることなく、スムーズに着用操作を行うことができる。
【００４２】
前後ウエスト域１１，１２の外面をなす前後ウエストシート２６，２７の外面には、複数の第１及び第２凹状ライン２９Ａ，２９Ｂから画定された格子縞状のエンボス模様２８が配置されていることから、ウエスト弾性体の収縮作用によって生じるギャザーと相俟って、大小様々なギャザーが形成される。したがって、前後ウエスト域１１，１２の外面が平滑面である場合に比して、前後ウエスト域１１，１２を把持し易く、特に、着用時におむつ１０の後ウエスト域１２を把持して引き上げるときに、着用者/着用補助者の手に馴染んで引き上げが容易になる。また、前後ウエストシート２６，２７の外面側の繊維層が捲縮繊維を含む場合には、非圧縮部３０における嵩高性が向上し、着用者等に対してより手に馴染むような感触を与えることができる。
【００４３】
後ウエスト域１２の第１〜第４後ウエスト弾性体７１〜７４の縦方向Ｙの離間寸法は、互いに相違するが、いずれの弾性体においても、離間寸法は約１１ｍｍ以下である。このように、比較的に小さい離間寸法で複数条の弾性体を配置していることから、それと平面視において重なる吸液構造体１５の後端部１６Ｂ全体を身体にフィットさせることができ、また、着用操作時にウエスト弾性体間の離間部分における折曲を抑制しうる。
【００４４】
図９（ａ），（ｂ）を参照すると、従来のおむつ２００は、着用状態において上下方向Ｈへ延び、その横方向の寸法を２等分する縦中心線と平行し、かつ、サイドシーム２２２の頂点２２０を通過する仮想線２８０を有する。従来のおむつ２００は、着用状態において、前後ウエスト域２１１，２１２の両側縁部を連結するサイドシーム２２２が、仮想線２８０に沿って上下方向Ｈへ直線状に延びている。かかる着用状態において、例えば、おむつ２００の内部に別体の吸収パッドを配置するために、着用補助者が前ウエスト域２１１を把持して斜め下方へ引っ張ってウエスト開口２２３を拡げた場合に、斜め下方へ引っ張ろうとする力Ｆが仮想線２８０に沿って延びるサイドシーム２２２の全体に作用する。そのため、後ウエスト域２１２全体が斜め前方へ引っ張られて傾いて下方へずれ下がるので、後ウエスト開口縁部が所定の適正位置を示す仮想ライン２８３から下方へ位置ずれする。したがって、そのまま着用した場合には、着用感を損ねるばかりではなく、排泄物の漏れを生じるおそれがある。また、前ウエスト域２１１側から吸収パッドをおむつ２００内部に挿入して配置した後に、後ウエスト域２１２の位置を修正する場合には、吸収パッドの位置を調整しながら、後ウエスト域２１２を所定の仮想ライン２８３まで引き上げる必要があり、手間がかかる。
【００４５】
図１０を参照すると、本実施形態に係るおむつ１０は、上下方向Ｈへ延び、その横方向の寸法を２等分する縦中心線Ｐと平行し、かつ、サイドシーム２２の頂点２０を通過する仮想線８０を有する。前後ウエスト域１１，１２の側縁部１１ｂ，１２ｂを連結するサイドシーム２２は、製造時において仮想線８０と並行するように直線状に延びているが、おむつ１０の着用状態においては、仮想線８０に関して後ウエスト域１２側へ屈曲した形状を有する。具体的には、サイドシーム２２は、頂点２０から後方へ下り勾配に延びる第1部分２２Ａと、第１部分２２Ａから屈曲して前方へ下り勾配に延びて仮想線８０と交点８４において交差する第２部分２２Ｂとを有する。
【００４６】
図１１を参照すると、おむつ１０の内部に別体の吸収パッドを配置するために、着用補助者が前ウエスト域１１を把持して斜め下方へ引っ張ってウエスト開口２３を拡げたときに、前ウエスト域１１を斜め下方へ引っ張る力Ｆがサイドシーム２２に作用する。このとき、サイドシーム２２は、仮想線８０に関して屈曲した形状を有していることから、引っ張る力Ｆが屈曲部分８１を起点としてそれよりも上方に位置する第１部分２２Ａに作用し、後ウエスト域１２のウエスト開口２３側の部分が斜め前方へ引っ張られる。一方、屈曲部分８１よりも下方に位置する第２部分２２Ｂは、引っ張ろうとする力Ｆが作用されない又は作用され難く、斜め前方へ引っ張られて、大きくずり下がることはない。したがって、後ウエスト域１２全体が斜め前方へ引っ張られることはないので、少なくとも後ウエスト域１２の中央部は適正位置を示す仮想ライン８３に位置する。また、サイドシーム２２の第１部分２２Ａに作用した引っ張り力Ｆは、仮想線８０と第１部分２２Ａとの間に画定される緩衝領域８５において力が分散されるので、後ウエスト域１２が引き下がるのを抑制しうるとも考えられる。
【００４７】
本実施形態に係るおむつ１０では、おむつ１０の前後方向Ｚにおいて、後ウエスト弾性域の第２後ウエスト弾性体７２が配置された弾性域と、第２前ウエスト弾性体６２が配置された弾性域とが対向して位置しており、前者の伸長応力が後者のそれよりも高くなっているので、該部分においてサイドシーム２２が後ウエスト域１２側へ引っ張られて、仮想線８０に関して屈曲した形態をなす。サイドシーム２２がかかる形態をなすために、第３後ウエスト弾性体７３の配置された弾性域の伸長応力と第２前ウエスト弾性体６２の配置された弾性域の伸長応力との差が約０．２Ｎ以上であることが好ましい。
【００４８】
また、サイドシーム２２の第２部分２２Ｂの下方部に位置する前ウエスト弾性域においては、第３前ウエスト弾性体６３が配置されており、それと対向する後ウエスト弾性域には、第３後ウエスト弾性体７３が配置されている。本実施形態においては、互いに隣り合う第３前ウエスト弾性体６３の縦方向Ｙにおける離間寸法が、互いに隣り合う第４後ウエスト弾性体７４の縦方向Ｙにおける離間寸法よりも小さくなっている。したがって、下方部において前ウエスト弾性域の伸長応力が後ウエスト弾性域よりも高くなって、後ウエスト域１２が前方へ引っ張られるので、第２部分２２Ｂは、屈曲部分８１から次第に仮想線８０から離間するように下り勾配に延びている。
【００４９】
サイドシーム２２は、屈曲部分８１が仮想線８０よりも後方に位置する限りにおいて、頂点２０から仮想線８０に沿って直線状に延びた後に、後方へ下り勾配に延びていてもよいし、第１及び第２部分２２Ａ，２２Ｂと仮想線８０との交差角度や勾配度合いは、適宜変更することができる。また、前ウエスト域１１を斜め下方へ引き下げたときに、屈曲部分８１よりも上方に位置する領域が引き下げられるので、屈曲部分８１が比較的に下方に位置する場合には、引っ張り力Ｆによって下方へずり下がる後ウエスト域１２の部分が大きくなる。したがって、サイドシーム２２の屈曲部分８１は、後ウエスト域１２の縦方向Ｙの寸法の中央部１１ｃ（説明の便宜上、中央部の位置する部分を仮想線８０上に位置する点で示す）よりも上方に位置することが好ましい。このように、屈曲部分８１が、該中央部１１ｃよりも上方に位置することによって、後ウエスト域１２全体の下方へのずり下がりを避けることができる。また、後ウエストシート２７の折曲部分３８の端縁（外端縁２７ｂ）がサイドシーム２２の屈曲部分８１に位置している。後ウエスト域１２において積層されたシート部材の枚数の相違によって剛性が変化するので、端縁（外端縁２７ｂ）近傍において剛性の変化によってサイドシーム２２が屈曲し易くなるといえる。また、前後ウエスト域１１，１２に格子縞状のエンボス模様２８が配置されていることによって、シート部材の柔軟性が増してウエスト弾性体の伸長力によってシート部材が変形し易くなるので、よりサイドシーム２２が屈曲し易くなる。
【００５０】
以上のように、本実施形態にかかるおむつ１０では、サイドシーム２２が、製造時において縦中心線Ｐ及び仮想線８０と並行して直線状に延びているが、前後ウエスト弾性域６０Ａ，６０Ｂ，７０Ａ，７０Ｂの各弾性域の伸長応力をウエスト弾性体の繊度、ピッチ、伸長倍率の諸条件によって相違させることによって、製品において仮想線８０に対して屈曲した形状を有しており、それによって、おむつ１０の着用状態及び吸収パッドの挿入操作時における後ウエスト域１２の位置ずれを防止するとともに、スムーズな着用操作を行うことができる。
【００５１】
本発明に係るおむつ１０を構成する各構成部材には、明細書に記載されている材料のほかに、この種の物品において通常用いられている各種公知の材料を制限なく用いることができる。また、明細書及び特許請求の範囲において、「第１」「第２」「第３」及び「第４」の用語は、同様の要素、位置等を単に区別するために用いられる。
【００５２】
以上に記載した本発明に関する開示は、少なくとも下記の事項に整理することができる。
【００５３】
縦方向及びそれに直交する横方向と、着用状態における上下方向及びそれに直交する前後方向とを有し、前記横方向の寸法を２等分する縦中心線と、肌対向面及びその反対側の非肌対向面と、前ウエスト域と、後ウエスト域と、前記前後ウエスト域の両側縁部を連結するサイドシームと、ウエスト開口及び一対のレッグ開口とを含むパンツ型の着用物品において、前記縦中心線と平行に延び、かつ、前記サイドシームの前記ウエスト開口の縁部に位置する頂点を通過する仮想線をさらに有し、前記サイドシームは、前記頂点から後方へ下り勾配に延びる第１部分と、前記第１部分から屈曲して前方へ下り勾配に延びて前記仮想線と交差する第２部分とを有する。
【００５５】
上記段落００５３に開示した本発明は、少なくとも下記の実施の態様を含むことができる。
（１）前記サイドシームの屈曲した部分は、前記後ウエスト域の前記縦方向の寸法における中央部よりも上方に位置する。
（２）前記前ウエスト域は、前記横方向へ延びる複数条の前ウエスト弾性体が配置された前ウエスト弾性域を有し、前記後ウエスト域は、前記横方向へ延びる複数条の後ウエスト弾性体が配置された後ウエスト弾性域を有し、前記サイドシームの屈曲した部分において、前記前後方向において対向する前記後ウエスト弾性域の伸長応力が前記前ウエスト弾性域の伸長応力よりも高い。
（３）前記サイドシームの前記第２部分の下方部において、互いに隣り合う前記前ウエスト弾性体の前記縦方向における離間寸法が、互いに隣り合う前記後ウエスト弾性体の前記縦方向における離間寸法よりも小さい。
（４）前記上下方後ウエスト弾性体は、前記肌対向面側に位置する内面シートと、前記非肌対向面側に位置する外面シートとの間に介在されており、前記外面シートは、前記内面シートの後端縁に沿って前記縦方向の内側へ折り曲げられる折曲部分を有し、前記折曲部分の端縁が前記サイドシームの屈曲した部分に位置する。
（５）前記前後ウエスト域の外面には、複数の圧縮凹部が配列され、かつ、互いに交差する第１凹状ラインと第２凹状ラインとから構成された格子縞状のエンボス模様が配置される。
（６）互いに隣り合う前記後ウエスト弾性体の前記縦方向の離間寸法が１１ｍｍ以下である。
【符号の説明】
【００５６】
１０    おむつ（パンツ型の着用物品）
１１    前ウエスト域
１１ａ，１１ｂ  前ウエスト域の側縁部
１１ｃ  前ウエスト域の縦方向の寸法の中央部
１２    後ウエスト域
１２ａ，１２ｂ  後ウエスト域の側縁部
１３    クロッチ域
１４    シャーシ
１５    吸液構造体
１６Ａ  吸液構造体の後端部
２０    サイドシームの頂点
２２    サイドシーム
２２Ａ  サイドシームの第１部分
２２Ｂ  サイドシームの第２部分
２３    ウエスト開口
２４    レッグ開口
２５    ベースシート（内面シート）
２７    後ウエストシート（外面シート）
２８    エンボス模様
２９Ａ  第１凹状ライン
２９Ｂ  第２凹状ライン
３８    折曲部分
６２    第２前ウエスト弾性体
６４    第４前ウエスト弾性体
７０Ａ  後ウエスト弾性域の上方弾性域
７０Ｂ  後ウエスト弾性域の下方弾性域
７１    第１後ウエスト弾性体
７２    第２後ウエスト弾性体
７３    第３後ウエスト弾性体
７４    第４後ウエスト弾性体
８０    仮想線
８１    屈曲部分
８４    サイドシームと仮想線との交点
Ｈ      上下方向
Ｐ      縦中心線
Ｘ      横方向
Ｙ      縦方向
Ｚ      前後方向
【要約】
【課題】従来の技術の改良であって、前ウエスト域を引き下げたときでも、後ウエスト域が位置ずれを生じるおそれのないパンツ型の着用物品の提供。
【解決手段】
縦中心線Ｐと平行に延び、かつ、サイドシーム２２のウエスト開口２３の縁部に位置する頂点２０を通過する仮想線をさらに有し、サイドシーム２２は、頂点２０から後方へ下り勾配に延びる第１部分２２Ａと、第１部分２２Ａから屈曲して前方へ下り勾配に延びて仮想線８０と交差する第２部分２２Ｂとを有する。
【選択図】図１【図１０】
0005766855.tif 000002
【図１１】
0005766855.tif 000003
【図１】
0005766855.tif 000004
【図２】
0005766855.tif 000005
【図３】
0005766855.tif 000006
【図４】
0005766855.tif 000007
【図５】
0005766855.tif 000008
【図６】
0005766855.tif 000009
【図７】
0005766855.tif 000010
【図８】
0005766855.tif 000011
【図９】
0005766855.tif 000012